(57)【要約】【課題】  手動で操作される保冷膜を有する保冷シャッタ装置を隣接して配置する場合の両者間の間隙を閉止する封止膜を保冷膜と同時に移動させると共にその封止膜を隣接する保冷シャッタ装置の保冷膜と重合連結させてなり、操作性，取扱性の向上と装置の低コスト化を図る手動連設型保冷シャッタ装置を提供する。【解決手段】  保冷膜２と巻軸３を収納する上部ケース６の後面及び下面には封止膜用装置９が設けられ、これから引き出された封止膜８は一方側の保冷シャッタ装置の保冷膜２と一緒に移動する。移動下端において封止膜８を隣接する保冷シャッタ装置の保冷膜２と重合させ両者を連設する。【選択図】  図１
2006304908.tif 000002
【特許請求の範囲】
【請求項１】
保冷膜を手動で操作する型式の単一型の手動保冷シャッタ装置を複数台隣接して配置すると共に隣接する装置間に生ずる隙間を封止膜で封止する手動連設型保冷シャッタ装置であって、該装置は、前記手動保冷シャッタ装置の隣接側の一端の上方に封止膜用装置の封止膜用巻軸を保冷膜の端面よりその一部をはみ出して装着し、保冷膜と封止膜との下端を連結すると共に、前記封止膜のはみ出し部の一部を隣接する手動保冷シャッタ装置の他端側の保冷膜と重合連結する構造からなることを特徴とする手動連設型保冷シャッタ装置。
【請求項２】
前記封止膜用装置は、封止膜用巻軸とガイド体とを有し、前記封止膜用巻軸は、前記保冷膜の巻軸の収納されている上部ケースの背後に支持され、前記ガイド体は前記上部ケースの下面側に固定されて前記封止膜用巻軸より送り出された封止膜を前記保冷膜とほぼ当接可能の位置まで案内する案内部を有するものからなることを特徴とする請求項１に記載の手動連設型保冷シャッタ装置。
【請求項３】
前記案内部が一対のガイドローラからなり、両ガイドローラ間の間隔が可変に形成されることを特徴とする請求項２に記載の手動連設型保冷シャッタ装置。
【請求項４】
前記保冷膜及び封止膜の下端は、前記手動保冷シャッタ装置の下端に設けられているウエイトバーに連結されて固持されることを特徴とする請求項１に記載の手動連設型保冷シャッタ装置。
【請求項５】
前記ウエイトバーには、装置の固定側の手摺に係着する係止具が設けられることを特徴とする請求項４に記載の手動連設型保冷シャッタ装置。
【発明の詳細な説明】
【技術分野】
【０００１】
本発明は、デパートやスーパマーケット等に設けられる食品陳列用冷凍冷蔵オープンショーケース（以下、ショーケースという）の開口部を閉止して食品を保冷する保冷シャッタ装置に係り、特に、保冷膜が手動で操作される型式の装置を互いに隣接して複数台並設する手動連設型保冷シャッタ装置に関する。
【背景技術】
【０００２】
ショーケースの保冷シャッタ装置としては単一型のものとこれを複数台連設するものがあり、ある程度の規模のデパート等では連設（連装）のものが一般に採用される。保冷シャッタ装置を連設する場合に問題となるのは、隣接間に必ず発生する隙間を閉止する手段が必要となり、このために封止膜を設けることが必要になる。この型式としては同一出願人の工夫により既に開示されているものがあり、「特許文献１」に示されている。
【特許文献１】実用新案登録第３０９２７４０号（図１）
【発明の開示】
【発明が解決しようとする課題】
【０００３】
「特許文献１」の「連装型の保冷シャッタ装置」には、封止膜が開示されているが、封止膜の作動とそれによる隙間の閉止手段が保冷膜の作動と独立して行われるため不便であり、その改良が要請されていた。また、全体動作を全自動とするものも考えられ、かつ便利であるが、装置構造が複雑で高コストとなる問題点がある。
【０００４】
本発明は、以上の要請に鑑みて発明されたものであり、封止膜が保冷膜と同時に手動で作動し得ると共に、封止膜による隙間の閉止が容易にでき、比較的安価に実施できる手動連設型保冷シャッタ装置を提供することを目的とする。
【課題を解決するための手段】
【０００５】
本発明は、以上の目的を達成するために、請求項１の発明は、保冷膜を手動で操作する型式の単一型の手動保冷シャッタ装置を複数台隣接して配置すると共に隣接する装置間に生ずる隙間を封止膜で封止する手動連設型保冷シャッタ装置であって、該装置は、前記手動保冷シャッタ装置の隣接側の一端の上方に封止膜用装置の封止膜用巻軸を保冷膜の端面よりその一部をはみ出して装着し、保冷膜と封止膜との下端を連結すると共に、前記封止膜のはみ出し部の一部を隣接する手動保冷シャッタ装置の他端側の保冷膜と重合連結する構造からなることを特徴とする。
【０００６】
また、請求項２の発明は、前記封止膜用装置は、封止膜用巻軸とガイド体とを有し、前記封止膜用巻軸は、前記保冷膜の巻軸の収納されている上部ケースの背後に支持され、前記ガイド体は前記上部ケースの下面側に固定されて前記封止膜用巻軸より送り出された封止膜を前記保冷膜とほぼ当接可能の位置まで案内する案内部を有するものからなることを特徴とする。
【０００７】
また、請求項３の発明は、前記案内部が一対のガイドローラからなり、両ガイドローラ間の間隔が可変に形成されることを特徴とする。
【０００８】
また、請求項４の発明は、前記保冷膜及び封止膜の下端は、前記手動保冷シャッタ装置の下端に設けられているウエイトバーに連結されて固持されることを特徴とする。
【０００９】
また、請求項５の発明は、前記ウエイトバーには、装置の固定側の手摺に係着する係止具が設けられることを特徴とする。
【発明の効果】
【００１０】
本発明の請求項１の手動連設型保冷シャッタ装置によれば、封止膜が単一型の手動保冷シャッタ装置の隣接側の一端に保冷膜と一緒に作動すべく配置されると共に封止膜は隣りの手動保冷シャッタ装置の他端側に重合した状態でこの保冷膜と連結される構造からなり、封止膜の作動とこれによる隙間の閉止が手動で簡単に、かつ確実に行われる。また、手動によるため装置コストを低額に保持することができる。
【００１１】
また、本発明の請求項２の手動連設型保冷シャッタ装置によれば、封止膜用巻軸が装置の上部ケースに固定されると共に、そこから送り出された封止膜を保冷膜の位置まで案内され互いに連結される構造のものからなり、保冷膜と封止膜との連動が確実にでき、かつ相互の重合が確実に行われる。
【００１２】
また、本発明の請求項３の手動連設型保冷シャッタ装置によれば、ガイドローラ間の距離が可変のため保冷膜の長さが変化しいも、その近傍に封止膜を案内することができ、重合の確実化が図れる。
【００１３】
また、本発明の請求項４の手動連設型保冷シャッタ装置によれば、保冷膜と封止膜とは装置の既設のウエイトバーによって連結され、両者の連結のための特別な手段が特に必要でなく、その連結が確実に行われる。
【００１４】
また、本発明の請求項５の手動連設型保冷シャッタ装置によれば、引き出された保冷膜及び封止膜は係止具により閉止状態に確実に保持され、閉止の確実性が担保される。
【発明を実施するための最良の形態】
【００１５】
以下、本発明の手動連設型保冷シャッタ装置の実施の形態を図面を参照して詳述する。その説明に先立って、一般に用いられているショーケースの全体概要構造を図８により説明する。
図８に示すように、ショーケース１００は、後板２９、側板（図略）、上板３１、下板３２で上下左右及び後面を囲まれ内部に冷凍冷蔵空間３３を有するショーケース本体３４からなる。このショーケース本体３４には、冷気の流通する冷気流通路３５と食品を陳列する陳列棚３０等が設けられ、冷気流通路３５と冷凍冷蔵空間３３とを連通させる冷気吹出口３６や冷気吸込口３７が設けられている。また、冷気流通路３５にはファン３８やエバポレータ３９が設けられている。また、上板３１の前面には照明ランプ４０が保持される。なお、ショーケース本体３４の前面側には開口部４１が形成され、下板３２の前面側には手摺４２が形成されている。
ショ−ケスの保冷シャッタ装置は、ショーケース本体３４の前面の開口部４１に配置され、この開口部４１の閉止や開放を行うものであり、閉止時においては冷凍冷蔵空間３３と外気側とを遮断して冷気の漏洩を防止し、内部の陳列食品（図略）の保冷を行うためのものである。具体的には保冷シャッタ装置１ａは、保冷膜２と、巻軸３と、保冷膜２の下方に固定されるウエイトバー４及びこの下端に取着されるシール部材５等とからなる。
【００１６】
また、図９は、本発明の適用される単一型の保冷シャッタ装置１ａの概要構造と保冷シャッタ装置１ａを隣接配置した連設型保冷シャッタ装置の概要構造を示すものである。図示のように、保冷膜２の巻軸３は上部ケース６に収納され、手動により巻軸３から引き出されるものからなる。この保冷膜２の下端には、前記のようにウエイトバー４が固定され、シート部材５が取着される。図示のように、夫々の手動保冷シャッタ装置１，１間には隙間７が生ずる。この隙間７は説明する封止膜８（図１）により閉止される。
【００１７】
図１及び図２は本発明の手動連設型保冷シャッタ装置の概要全体構造を示すものである。本発明の手動連設型保冷シャッタ装置１は図９に示した保冷シャッタ装置１ａに封止膜用装置９を設けたものからなる。
【実施例１】
【００１８】
封止膜用装置９は図２に示すように単一の保冷シャッタ装置１ａの隣接側の一端に配置されたものであり、本実施例では、保冷シャッタ装置１ａの一端に片持ち支持されるものからなる。
封止膜用装置９は、封止膜８を巻回保持する封止膜用巻軸１０と、この支持機構部１１と、封止膜用巻軸１０から送り出された封止膜８を保冷膜２とほぼ当接可能の位置まで案内するガイド体１２等とからなる。なお、図１は保冷シャッタ装置１，１を合体した手動連設型保冷シャッタ装置１の形態を示すものであり、図２は夫々の合体前の形態を示す図面である。
【００１９】
図３乃至図５は前記の封止膜用装置９の詳細構造を示すものである。保冷膜２を巻回保持する巻軸３は上部ケース６内に収納され、その前側の開口部１３から保冷膜２は引き出される。上部ケース６の後面には前記の支持機構部１１のブラケット１４が固定され、封止膜用巻軸１０はこのブラケット１４に枢支される。なお、前記のように封止膜用巻軸１０は支持機構部１１のブラケット１４に片持ち支持され、この封止膜用巻軸１０には封止膜８が巻回される。一方、ガイド体１２は、上部ケース６の後面及びその下面に固定されるブロック体１５と、このブロック体１５の前後のローラ支持孔２４，２５に片持ち支持されて伸延するガイドローラ１６，１７とからなる。なお、封止膜用巻軸１０から送り出された封止膜８はガイドローラ１６及び１７に案内されて保冷膜２の近傍まで送り出される。
【実施例２】
【００２０】
図５（ａ），（ｂ），（ｃ）はガイド体１２の実施例を示すものであるが、勿論この構造に限定するものではない。ブロック体１５は後部ブロック体１５ａと前部ブロック体１５ｂとからなり、両者は分離構造のものからなるが、使用時には合体される。後部ブロック体１５ａは、上部ケース６側に固定されるフランジ部１９と、これと一体的に形成されて上部ケース６の下面に固持されるブロック部２０と、ブロック部２０に片持ち支持されるガイドローラ１６等とからなる。また、ブロック部２０の前端には突出片２１が一体的に形成される。一方、前部ブロック体１５ｂは、上部ケース６の下面に固持されるブロック部２３とこれに片持ち支持されるガイドローラ１７等とからなり、ブロック部２３には前記の突出部２１が嵌り込む突出部受部１８が形成される。また、ブロック部２３には長孔２２が設けられ、ブロック部２０とブロック部２３との間の間隔を調整し、ガイドローラ１６とガイドローラ１７との間隔は適宜調節することができる。即ち、後部ブロック体１５ａと前部ブロック体１５ｂとを突出部２１を突出部受部１８に嵌め込んで両者を合体し、両者のガイドローラ１６及び１７の間隔を所望の値にしてこれ等を上部ケース２６の下面に固定することにより一体構造のブロック体１５が形成される。
【００２１】
図６は、以上の構造の手動連設型保冷シャッタ装置１における保冷膜２と封止膜８との重合形態を示し、図７（ａ），（ｂ），（ｃ），（ｄ）はウエイトバー４との連結構造を示すものである。図において、範囲Ａは手動連設型保冷シャッタ装置１つの保冷シャッタ装置１ａにおける保冷膜２の配置（端部側のみ）を示し、範囲Ｂは隣接する保冷シャッタ装置１ａにおける保冷膜２の配置（端部のみ）を示し、範囲Ｃは封止膜８の配置を示すものである。図示のように、封止膜８の範囲Ｃは、範囲Ａ側の保冷膜２と重なる範囲Ｃ1と、範囲Ｂ側の保冷膜２と重なる範囲Ｃ3と、その中間で封止膜８のみが存在する範囲Ｃ2とからなり、範囲Ｃ2が前記の隙間７（図９）に相当するものである。また、図６に示すようにウエイトバー４は、範囲Ａ側のウエイトバー４は保冷膜２の端部より隙間７の分だけ隣接側にはみ出して取付けられ、範囲Ｂ側のウエイトバー４は保冷膜２の他端面とほぼ同一の位置にその端面を配置した状態で取付けられている。よって、両者のウエイトバー４，４は互いに当接した状態で配置される。
【００２２】
図７は図６におけるＡ−Ａ断面、Ｂ−Ｂ断面、Ｃ−Ｃ断面及びＤ−Ｄ断面を示すものである。なお、Ａ−Ａ断面は保冷膜２のみがウエイトバー４に連結されている部分を示し、Ｂ−Ｂ断面は保冷膜２と封止膜８とがウエイトバー４，４に連結されている部分を示し、Ｃ−Ｃ断面は封止膜８のみがウエイトバー４に連結している部分を示し、Ｄ−Ｄ断面は両方のウエイトバー４，４間の部分を示す。
【００２３】
ウエイトバー４はやや複雑横断面形状の枠体からなり、ストッパ用立上り部４ａとこれと間隙４ｄを介して配置される立上り部４ｂとシール部材５が取付けられる底部係止部４ｃ等とからなる。保冷膜２はストッパ用立上り部４ａと立上り部４ｂとの間の間隙４ｄ内に挿入されてウエイトバー４に連結される。なお、保冷膜２はウエイトバー４のストッパ用立上り部４ａの下方に凹設される凹部４ｅ内に挿着される補強板２６により補強される。
【００２４】
図７（ｂ）に示すように、この範囲Ｃ1及びＣ3は保冷膜２と封止膜８とがウエイトバー４に連結される部分であり、この範囲では封止膜８のウエイトバー４への連結を容易にするために前記枠体の立上り部４ｂが欠落されて保冷膜２及び封止膜８がウエイトバー４側に連結される。なお、この範囲では欠落された立上り部４ｂの替りに背板２７が設けられ封止膜８等を補強している。また、この範囲でも補強板２６が凹部４ｅに挿着される。
【００２５】
図７（ｃ）は範囲Ｃ2の部分を示し、この範囲は封止膜８のみがウエイトバー４に連結される。図示のようにストッパ用立上り部４ａと背板２７との間に封止膜８は挿入され、補強板２６と封止膜８との間には補間板２８が介設されて封止膜８の連結箇所の確実化を図っている。
【００２６】
また、図７（ｄ）は封止膜８のみが存在する部分であり、封止膜８はウエイトバー４とも連結されていないが背板２７により補強される。
【００２７】
次に、以上の構造の封止膜用装置を有する手動連設型保冷シャッタ装置１の作用を説明する。まず、図２に示す封止膜用装置を有する側の保冷シャッタ装置１ａの一番上端に上っているウエイトバー４を把持して保冷膜２を手動で引き出すと封止膜８も一緒に引き出され下端まで両膜が移動される。ここで、隣接して配置されているもう１つの保冷シャッタ装置１ａの保冷膜２と他方の前記保冷シャッタ装置１ａの封止膜８が重なり合う。ここで保冷膜２と封止膜８とウエイトバー４とが一体に連結される。これにより、隣接する保冷シャッタ装置１ａ，１ａが封止膜８を介して連結し手動連設型保冷シャッタ装置１となる。この状態で係止具のフック４３を手摺４２に係着することにより手動連設型保冷シャッタ装置１は閉止状態に保持される。逆に、保冷膜２等を開放する場合には隣接する側の保冷シャッタ１ａの保冷膜２と封止膜４との連結を解除し、フック４３を手摺４２から取り外すことにより、巻軸３内に配設される図略のスプリングにより巻き戻され、保冷膜２と封止膜３が上端まで巻き上げられ、それぞれ巻軸３及び封止膜巻軸１０に巻回される。
【００２８】
以上により、本発明の手動連設型保冷シャッタ装置の構造や作用を説明したが、本発明の手動連設型保冷シャッタ装置は以上の説明の内容に限定するものではなく、同一の技術的範疇の公知技術が適用されることは勿論である。
【産業上の利用可能性】
【００２９】
本発明は、食品保冷用のショーケースについて適用したが、それに限定するものではなく、保冷を必要とする他のショーケースに適用され、その利用範囲は広い。
【図面の簡単な説明】
【００３０】
【図１】本発明の手動連設型保冷シャッタ装置の構造の全体構造を示す平面図。
【図２】本発明を設けた隣接する保冷シャッタ装置の概要構造を示す平面図。
【図３】本発明における封止膜用装置の概要構造を示す側面図。
【図４】本発明の封止膜用装置の上部ケースへの取付け状態を示す部分正面図。
【図５】本発明におけるガイド体の構造を示す斜視図（ａ）、上面図（ｂ）及び側面図（ｃ）。
【図６】本発明の手動連設型保冷シャッタ装置における保冷膜と封止膜との重合状態を説明するための模式的平面図。
【図７】図６のＡ−Ａ断面（ａ）、Ｂ−Ｂ断面（ｂ）、Ｃ−Ｃ断面（ｃ）及びＤ−Ｄ断面（ｄ）の断面図。
【図８】一般に用いられているショーケスの構造を示す側断面図。
【図９】手動連設型保冷シャッタ装置の概要構造と並設状態を示す平面図。
【符号の説明】
【００３１】
１      手動連設型保冷シャッタ装置
１ａ    保冷シャッタ装置
２      保冷膜
３      巻軸
４      ウエイトバー
４ａ    ストッパ用立上り部
４ｂ    立上り部
４ｃ    底部保持部
４ｄ    間隙
４ｅ    凹部
５      シール部材
６      上部ケース
７      隙間
８      封止膜
９      封止膜用装置
１０    封止膜用巻軸
１１    支持機構部
１２    ガイド体
１３    開口部
１４    ブラケット
１５    ブロック体
１５ａ  後部ブロック体
１５ｂ  前部ブロック体
１６    ガイドローラ
１７    ガイドローラ
１８    突出部受部
１９    フランジ部
２０    ブロック部
２１    突出片
２２    長孔
２３    ブロック部
２４    ローラ支持孔
２５    ローラ支持孔
２６    補強板
２７    背板
２８    補間板
４３    フック
１００  ショーケース
【図１】
2006304908.tif 000003
【図２】
2006304908.tif 000004
【図３】
2006304908.tif 000005
【図４】
2006304908.tif 000006
【図５】
2006304908.tif 000007
【図６】
2006304908.tif 000008
【図７】
2006304908.tif 000009
【図８】
2006304908.tif 000010
【図９】
2006304908.tif 000011